(57)【特許請求の範囲】
【請求項１】
ネイティブ通信スタンダードを持つネイティブ通信ネットワーク内で使用できる第1のポータブル通信装置と接続可能であって、出力されるネイティブ通信を非ネイティブ通信に変換し、或いは入力される非ネイティブ通信をネイティブ通信に変換するように動作し、この変換して入力されるネイティブ通信はネイティブ通信ネットワークに伝達可能であり、変換して出力される非ネイティブ通信は非ネイティブ通信ネットワークにおける非ネイティブ通信スタンダードにより伝達可能である第1のアプリケーションモジュールと、
非ネイティブ通信ネットワーク内で使用できる第２の通信装置と接続可能であり、前記第1のアプリケーションモジュールと通信され、ネイティブ通信及び非ネイティブ通信の双方について出力、入力が可能である第1のインターフェースモジュールと、
前記出力されるネイティブ通信はネイティブコマンドを有し、入力される非ネイティブ通信は非ネイティブコマンドを有し、前記第1のアプリケーションモジュールは更に複数のネイティブコマンドと非ネイティブコマンドとを有し、前記第1のアプリケーションモジュールは出力されるネイティブ通信に付随したネイティブコマンドを複数の非ネイティブコマンドの一つに関連付けて出力される非ネイティブ通信を形成し、さらに入力される非ネイティブ通信に付随した非ネイティブコマンドを複数のネイティブコマンドの一つに関連付けて入力されるネイティブ通信を形成する、と
を具備する通信システム。
【請求項２】
前記非ネイティブ通信スタンダードは、ネイティブ通信スタンダードとは異なる複数の通信スタンダードの一つを有し、前記第1のアプリケーションモジュールは非ネイティブ通信スタンダードとネイティブ通信スタンダードの間で行われる通信の変換のための変換機を有する、請求項1に記載の通信システム。
【請求項３】
前記ネイティブ通信スタンダードは、一つ又は複数のコマンドを有し、非ネイティブ通信スタンダードは一つ又は複数の非ネイティブコマンドを有し、前記第1のアプリケーションモジュールは更に複数のネイティブコマンドと非ネイティブコマンドとを有し、前記トランスレータは前記複数のネイティブコマンドの与えられた一つと前記複数の非ネイティブコマンドの一つとの間の対応関係を決定して入力されるネイティブ通信と出力される非ネイティブ通信とを形成する、請求項２に記載の通信システム。
【請求項４】
前記第1のアプリケーションモジュールと第1のインターフェースモジュールは第1のポータブル通信装置内に設けられ、第２の通信装置は更に第1のインターフェースモジュールと非ネイティブ通信ネットワークとに接続可能な第２のインターフェースモジュールを有する、請求項１に記載の通信システム。
【請求項５】
前記アプリケーションモジュールは更に入力または出力されるネイティブ通信の暗号化または復号化を行うセキュリティ機能を有する、請求項１に記載の通信システム。
【請求項６】
前記第１のポータブル通信装置と第２の通信装置と非ネイティブ通信ネットワークの内の少なくとも２つとの間で通信を行うインターフェースシステムと、
少なくとも第１モード、第２モードを有し、第１モードでは第２通信装置と非ネイティブ通信ネットワークとの間で第１ポータブル通信装置の第１アプリケーションモジュールによる暗号化、復号化された通信を行い、第２モードでは第２通信装置と非ネイティブ通信ネットワークとの間で第１ポータブル通信装置の第１アプリケーションモジュールによる暗号化、復号化無しに通信を行う切換え機構と、
を有する通信アクセサリーを更に有する請求項５に記載の通信システム。
【請求項７】
ネイティブ通信ネットワークと共用のネイティブ通信と非ネイティブ通信ネットワークと共用の非ネイティブ通信との双方に対して送信、受信可能であり、ネイティブ通信は非ネイティブ通信ネットワークと共用でなく、非ネイティブ通信はネイティブ通信ネットワークと共用でない、第１のインターフェースモジュールと、
出力ネイティブ通信を出力非ネイティブ通信に変換し、または入力非ネイティブ通信を入力ネイティブ通信に変換するように動作する第１のアプリケーションモジュールと、
前記出力されるネイティブ通信は出力ネイティブコマンドを有し、入力される非ネイティブ通信は入力非ネイティブコマンドを有し、前記第1のアプリケーションモジュールは更に複数のネイティブコマンドと関連する非ネイティブコマンドとを有し、通信インターフェースは出力されるネイティブコマンドを複数の非ネイティブコマンドの一つに関連付けて出力される非ネイティブ通信を形成し、または入力される非ネイティブコマンドを複数のネイティブコマンドの一つに関連付けて入力されるネイティブ通信を形成する、と
を有する第１のポータブル通信装置を具備する通信システム。
【請求項８】
前記アプリケーションモジュールは更に、入力または出力される通信を暗号化または復号化するためのセキュリティ機能を有し、
通信システムは更に、
前記第１のポータブル通信装置と第２の通信装置と非ネイティブ通信ネットワークの内の少なくとも２つとの間で通信を行うインターフェースシステムと、
少なくとも第１モード、第２モードを有し、第１モードでは第２通信装置と非ネイティブ通信ネットワークとの間でセキュリティ機能による変換された通信を行い、第２モードでは第２通信装置と非ネイティブ通信ネットワークとの間でセキュリティ機能による変換無しに通信を行う切換え機構と、
を有する通信アクセサリーを更に有する請求項７に記載の通信システム。
【請求項９】
前記第１のインターフェースモジュールと接続可能な第２のインターフェースモジュールを有し、この第２のインターフェースモジュールは第１ポータブル通信装置から出力される非ネイティブ通信を受信し、この出力される非ネイティブ通信を非ネイティブ通信ネットワークに送信し、または入力される非ネイティブ通信を第１のポータブル通信装置に送信するように動作する、第２の通信装置を具備する請求項７に記載の通信システム。
【請求項１０】
前記アプリケーションモジュールは更に、入力または出力される通信を暗号化または復号化するためのセキュリティ機能を有し、
通信システムは更に、
前記第１のポータブル通信装置から出力される非ネイティブ通信を受信しこの出力される非ネイティブ通信を非ネイティブ通信装置に送信し、あるいは入力される非ネイティブ通信を第１のポータブル通信装置に送信するように動作する第２のインターフェースモジュールと有する第２の通信装置と、
通信アクセサリーとを有し、
この通信アクセサリーは、
第１ポータブル通信装置と第２通信装置と非ネイティブ通信ネットワークの内の少なくとも２つとの間で通信を行うインターフェースシステムと、
少なくとも第１モード、第２モードを有し、第１モードでは第２通信装置と非ネイティブ通信ネットワークとの間で第１アプリケーションモジュールのセキュリティ機能による変換された通信を行い、第２モードでは第２通信装置と非ネイティブ通信ネットワークとの間で第１アプリケーションモジュールのセキュリティ機能による変換無しに通信を行う切換え機構と、
を有する請求項７に記載の通信システム。
【請求項１１】
非ネイティブ装置とアプリケーションモジュールを有するポータブル装置と非ネイティブ通信ネットワークの内の少なくとも２つとの間で通信を行うインターフェースシステムと、
少なくとも第１モード、第２モードを有し、第１モードでは非ネイティブ装置と非ネイティブ通信ネットワークとの間でポータブル装置のアプリケーションモジュールによる変換された通信を行い、第２モードでは非ネイティブ装置と非ネイティブ通信ネットワークとの間でポータブル装置のアプリケーションモジュールによる変換無しに通信を行う切換え機構と、
前記切換え機構はポータブル装置からのコマンド信号を受け、コマンド信号はこの切換え機構が第１モードまたは第２モードで動作するように構成され、と、
前記切換え機構は少なくとも第１状態と第２状態とで動作し、この第１の状態ではポータブル装置を介して非ネイティブ装置と非ネイティブ通信ネットワークとの間での第１モードの通信を行い、第２の状態ではポータブル装置をバイパスして非ネイティブ装置と非ネイティブ通信ネットワークとの間での第２モードの通信を行い、コマンド信号によりこの第１、第２状態の切換えが行われる、と
を有する通信アクセサリー。
【請求項１２】
前記アプリケーションモジュールは、セキュリティアプリケーションと、暗号化／復号化アプリケーションと、音声アプリケーションと、データアプリケーションと、グループ通信アプリケーションと、ビデオアプリケーションとからなるグループから選択された一つのアプリケーションを具備する、請求項１１に記載の通信アクセサリー。
【請求項１３】
前記インターフェースシステムは、ポータブル装置インターフェースと、非ネイティブ装置インターフェースと、非ネイティブ通信ネットワークインターフェースとを有し、前記ポータブル装置インターフェースはポータブル装置との間で通信の送受信を行う第１のコネクタを有し、非ネイティブ装置インターフェースは非ネイティブ装置との間で通信の送受信を行う第２のコネクタを有し、非ネイティブ通信ネットワークインターフェースは非ネイティブ通信ネットワークとの間で通信の送受信を行う第３のコネクタを有する、請求項１１に記載の通信アクセサリー。
【請求項１４】
前記インターフェースシステムはモデムを有する、請求項１１に記載の通信アクセサリー。
【請求項１５】
更に、前記ポータブル装置の第１バッテリーを充電するためのパワーモジュールシステムを有する、請求項１１に記載の通信アクセサリー。
【請求項１６】
前記インターフェースシステムはポータブル装置をインターフェースシステムおよびパワーモジュールシステムに接続するためのコネクタシステムを有する、請求項１５に記載の通信アクセサリー。
【請求項１７】
前記パワーモジュールシステムはポータブル装置の第１のバッテリーを充電している間に第２のバッテリーを充電するように動作する、請求項１５に記載の通信アクセサリー。
【請求項１８】
更に、通信アクセサリーの動作を制御し、或いは補助するための機能的機構を具備する請求項１１に記載の通信アクセサリー。
【請求項１９】
前記機能的機構は、機械的入力・出力装置と、接触的入力・出力装置と、視覚的入力・出力装置と、音声による入力・出力装置とからなるグループから選択された機構を有する、請求項１８に記載の通信アクセサリー。
【請求項２０】
前記ポータブル装置は、モバイル電話と、無線電話と、衛星電話と、パーソナルデジタルアシスタントと、ページャ装置と、二方向通信装置とからなるグループから選択された装置を有する、請求項１１に記載の通信アクセサリー。
【請求項２１】
前記アプリケーションモジュールはセキュリティアプリケーションを有し、第１のモードにおける出力の通信のために、インターフェースシステムは非ネイティブ装置からの明文の通信を受信し、この明文の通信をアプリケーションモジュールに送信し、インターフェースシステムはアプリケーションモジュールからのセキュリティ通信を受信し、このセキュリティ通信を非ネイティブ通信ネットワークに送信し、このセキュリティ通信はセキュリティアプリケーションにより変換された明文な通信を示す、請求項１１に記載の通信アクセサリー。
【請求項２２】
前記アプリケーションモジュールはセキュリティアプリケーションを持ち、第１のモードで入力する通信に対してインターフェースシステムは非ネイティブ通信ネットワークからセキュリティ通信を受信し、このセキュリティ通信をアプリケーションモジュールに送り、前記インターフェースシステムは明文の通信をアプリケーションモジュールから受信し、この明文の通信を非ネイティブ装置に通信し、明文の通信ネットワークはセキュリティアプリケーションによって変換されたセキュリティ通信を表す、請求項１１に記載の通信アクセサリー。
【請求項２３】
前記ポータブル装置は無線電話機を有し、アプリケーションモジュールは非ネイティブ装置と非ネイティブ通信ネットワークとの間の通信の暗号化、復号化を可能とするセキュリティアプリケーションを有する、請求項１１に記載の通信アクセサリー。
【請求項２４】
非ネイティブ装置とセキュリティアプリケーションを有するポータブル装置と非ネイティブ通信ネットワークの内の少なくとも２つとの間で通信を行うインターフェースシステムと、
第１モードと第２モードとを有し、第１モードでは非ネイティブ装置と非ネイティブ通信ネットワークとの間でポータブル装置のセキュリティアプリケーションを介した通信を行い、第２モードでは非ネイティブ装置と非ネイティブ通信ネットワークとの間でポータブル装置のセキュリティアプリケーションを介さずに通信を行う切換え機構と、
前記切換え機構はポータブル装置からコマンド信号を受け、このコマンド信号は切換え機構が第１、第２モードの一方で動作するようにする、と、
前記切換え機構は少なくとも第１状態と第２状態とで動作し、第１の状態ではポータブル装置を介して非ネイティブ装置と非ネイティブ通信ネットワークとの間での第１モードの通信を行い、第２の状態ではポータブル装置をバイパスして非ネイティブ装置と非ネイティブ通信ネットワークとの間での第２モードの通信を行い、コマンド信号によりこの第１、第２状態の切換えが行われる、と
を有するセキュリティ通信アクセサリー。
【請求項２５】
前記インターフェースシステムはモデムを含む請求項２４に記載のセキュリティ通信アクセサリー。
【請求項２６】
更に、前記ポータブル装置に用いられたバッテリーを充電するためのパワーモジュールシステムを有する、請求項２４に記載のセキュリティ通信アクセサリー。
【請求項２７】
更に、前記セキュリティ通信アクセサリーの動作を制御し補助するための機能性機構を有する、請求項２４に記載のセキュリティ通信アクセサリー。
【請求項２８】
前記機能性機構は、機械的入力・出力装置と、接触的入力・出力装置と、視覚的入力・出力装置と、音声による入力・出力装置とからなるグループから選択された一つの機構を有する、請求項２７に記載のセキュリティ通信アクセサリー。
【請求項２９】
前記ポータブル装置は、モバイル電話と、無線電話と、サテライト電話と、パーソナルデジタルアシスタントと、ページャ装置と、二方向通信装置とからなるグループから選択された一つの装置を有する、請求項２４に記載の通信アクセサリー。
【請求項３０】
非ネイティブ装置に接続される非ネイティブ装置インターフェースシステムと、
公衆電話交換ネットワークと接続された公衆電話交換ネットワークインターフェースシステムと、
アプリケーションモジュールを有するポータブル装置と接続されるポータブル装置インターフェースシステムと、
非ネイティブ装置インターフェースシステムと、公衆電話交換ネットワークインターフェースシステムと、ポータブル装置インターフェースシステムのうちの少なくとも２つの間の通信を伝送するための交換システムと、
前記交換システムは少なくとも第１接続状態と第２接続状態とを有し、第１接続状態ではポータブル装置インターフェースシステムを介して非ネイティブ装置インターフェースシステムと公衆電話交換ネットワークインターフェースシステムとを接続して送信される通信がアプリケーションモジュールにより変換され、第２の接続状態ではポータブル装置インターフェースシステムをバイパスして非ネイティブ装置と公衆電話交換ネットワークとが接続される、と、
前記ポータブル装置は無線電話機を含み、アプリケーションモジュールは送信される通信の暗号化と復号化とを可能とするセキュリティアプリケーションを有する、と、
前記交換システムのデフォールト状態は第２の接続状態であり、更に、無線電話と通信アクセサリーとの間の接続状態を決定し、第１の接続状態と第２の接続状態との間の切換えを行うための信号システムを有する、とを具備する
通信アクセサリー。
【請求項３１】
更に、第１の接続状態と第２の接続状態の少なくとも一方に対応する少なくとも一つの出力信号を有する出力装置を具備する請求項３０に記載の通信アクセサリー。
【請求項３２】
前記公衆電話交換ネットワークインターフェースシステムはモデムを含む、請求項３０に記載の通信アクセサリー。
【請求項３３】
更に、少なくとも前記交換システムを開放する開放状態と少なくとも前記交換システムを収納する収納状態とを有するハウジングと、このハウジングに関連して設けられたインジケータシステムとを更に有し、このインジケータシステムは前記ハウジングが開放状態にあるか否かを指示する、請求項３０に記載の通信アクセサリー。
【請求項３４】
更に、前記無線電話機に付属したバッテリーを充電するためのパワーモジュールシステムを有する、請求項３０に記載の通信アクセサリー。
【請求項３５】
通信を伝送するためのインターフェースシステムを有し、少なくとも非ネイティブ装置と非ネイティブ通信ネットワークとに接続される通信アクセサリーと、
アプリケーションモジュールを有し、前記通信アクセサリーに接続されるポータブル装置と、
前記インターフェースシステムは少なくとも第１モードと第２モードとを有し、第１モードでは前記インターフェースシステムは非ネイティブ装置と非ネイティブ通信ネットワークとの間でポータブル装置のアプリケーションモジュールによる変換された通信を行い、第２モードでは前記インターフェースシステムは非ネイティブ装置と非ネイティブ通信ネットワークとの間で前記ポータブル装置のアプリケーションモジュールによる変換無しに通信を行う、と、
前記インターフェースシステムは無線電話機からのコマンド信号を受信し、このコマンド信号によりインターフェースシステムが第１のモードおよび第２のモードの一方で動作する、と、
前記インターフェースシステムは少なくとも第１状態と第２状態とで動作し、このインターフェースシステムは、第１の状態では無線電話装置を介して非ネイティブ装置と非ネイティブ通信ネットワークとの間での第１モードの通信を行い、第２の状態では無線電話装置をバイパスして非ネイティブ装置と非ネイティブ通信ネットワークとの間での第２モードの通信を行い、コマンド信号によりこのインターフェースの第１、第２状態の切換えが行われる、と
を具備する通信システム。
【請求項３６】
前記ポータブル装置は無線電話機を有し、アプリケーションモジュールは前記インターフェースシステムが第１モードのときに伝送された通信に対して暗号化および復号化を行うセキュリティアプリケーションを具備する、請求項３５に記載の通信システム。
【請求項３７】
通信の出力時には、前記インターフェースシステムは第１モードにおいて非ネイティブ装置からの明文の通信を受信し、この明文通信をセキュリティアプリケーションに送信し、前記インターフェースシステムはこのセキュリティアプリケーションからセキュリティ通信を受信し、このセキュリティ通信を非ネイティブ通信ネットワークに送信し、セキュリティ通信は前記セキュリティアプリケーションにより変換された明文通信を表す、請求項３５に記載の通信システム。
【請求項３８】
通信の入力時には、前記インターフェースシステムは第１モードにおいて非ネイティブ通信ネットワークからのセキュリティ通信を受信し、このセキュリティ通信をセキュリティアプリケーションに送信し、前記インターフェースシステムはこのセキュリティアプリケーションから明文な通信を受信し、この明文通信を非ネイティブ装置に送信し、明文通信は前記セキュリティアプリケーションにより変換されたセキュリティ通信を表す、請求項３５に記載の通信システム。
【請求項３９】
前記インターフェースシステムはモデムを含む請求項３６に記載の通信システム。
【請求項４０】
更に無線電話機に付属されたバッテリーを充電するためのパワーモジュールシステムを具備する請求項３６に記載の通信システム。
【請求項４１】
更に、セキュリティ通信アクセサリーの動作を制御し補助するための機能的機構を具備する、請求項３６に記載の通信システム。
【請求項４２】
前記機能的機構は、機械的入力・出力装置と、接触的入力・出力装置と、視覚的入力・出力装置と、音声による入力・出力装置とからなるグループから選択された一つの機構を有する、請求項４１に記載の通信システム。
【請求項４３】
請求項１１に記載の通信アクセサリーを用いた非ネイティブ装置と非ネイティブ通信ネットワークとの間の通信の変換方法。
【請求項４４】
非ネイティブ装置と非ネイティブ通信ネットワークとの間の通信変換方法であって、
非ネイティブ装置または非ネイティブ通信ネットワークのうちの一方からの第１の通信を受信し、
アプリケーションモジュールを有するポータブル装置へこの第１の通信を送出し、
アプリケーションモジュールにより変換された第１の通信の変換分を有する第２の通信をポータブル装置から受信し、
非ネイティブ装置または非ネイティブ通信ネットワークのうち前記一方とは異なる他方へ前記第２の通信を送出し、
ポータブル装置からのコマンド信号を受信し、
受信されたコマンド信号に基づいて交換システムを第１状態と第２状態の間で切換え、この第１状態では非ネイティブ装置と非ネイティブ通信ネットワークとをポータブル装置を介して接続し、第２状態ではポータブル装置との接続をバイパスし、非ネイティブ装置を非ネイティブ通信ネットワークに接続する、
通信変換方法。
【請求項４５】
前記アプリケーションモジュールは通信の暗号化あるいは復号化を行うセキュリティアプリケーションを含み、前記第１の通信は明文伝送を有し、第２の通信はセキュリティアプリケーションにより暗号化されたセキュリティ伝送を有する、請求項４４に記載の方法。
【請求項４６】
前記アプリケーションモジュールは通信の暗号化あるいは復号化を行うセキュリティアプリケーションを含み、第１の通信はセキュリティ伝送を有し、第２の通信はセキュリティアプリケーションにより復号化された明文伝送を有する、請求項４４に記載の方法。
【請求項４７】
更に、前記交換システムの状態に応じて前記第１状態、第２状態の一方の動作を示す出力を発生する、請求項４４に記載の方法。
【請求項４８】
前記出力は音声信号と視覚信号とからなるグループから選択された、請求項４７に記載の方法。
【請求項４９】
さらに、前記ポータブル装置に対して電力を送る、請求項４４に記載の方法。
【発明の詳細な説明】
【技術分野】
【０００１】
本発明は、通信ネットワーク中で通信を変換するためのシステムと方法に関し、特に、「非ネイティブ」通信ネットワーク、即ち本来はポータブル装置で通信を行う予定にない通信ネットワーク内でポータブル装置からのアプリケーションを用いるためのシステムと方法に関する。
【背景技術】
【０００２】
異なるタイプの通信装置の数が増加し、異なるタイプの通信ネットワークの数が増加してきていることから、通信システムはますます複雑になっている。例えば、ポータブル又は無線装置や、有線又は無線電話や、デスクトップ又はポータブルコンピュータなどが一つ又は複数の通信ネットワークの中で多く用いられている。これらの装置はそれぞれ異なるタイプの情報を伝送するための種々のスタンダード或いはプロトコルを有している。これらの情報は、例えば、音声データであり、オーディオデータであり、ビデオデータである。種々の通信ネットワークの間では通信スタンダードや通信プロトコルが異なるために、夫々の通信装置は特定の通信ネットワークで動作するように設計される。例えば、モバイル用のグローバルシステム（ＧＳＭ）通信ネットワーク内でネイティブ動作を行うように設計された代表的な無線電話は、非ネイティブの符号分割多元接続（ＣＤＭＡ）通信ネットワーク内では通信ができない。他の例として、ネイティブブルートース（native BLUETOOTH：商標）通信ネットワーク内で動作するように設計された代表的なポータブル装置は非ネイティブＧＳＭネットワーク内では動作しない。即ち、多くの通信ネットワーク内で用いられる多くの通信装置の相互動作可能性を高めて、ネイティブおよび非ネイティブ双方の通信ネットワーク内で種々のアプリケーションを使用することができる必要がある。
【０００３】
更に、通信装置の中には、情報の送受信の前に通信を変換することが要求されるものもある。この通信の変換の一例として、セキュリティアプリケーションにより暗号化又は復号化が行われる通信がある。暗号化された通信は、それを適切に復号化するアルゴリズムまたはキーを持つ通信装置のみがその通信を理解できるために、セキュリティ通信として扱われる。例えば、高度に重要なあるいは秘密の情報を送信する場合には、その通信を暗号化アルゴリズムまたはキーを用いてたとえばスクランブル処理してセキュリティ通信として送信する。受信されたセキュリティ通信は対応する復号化アルゴリズム又はキーを用いて元の明文通信に復元できる。このようにして、プライベートのセキュリティ通信が多くの公衆通信ネットワークを介して行われる。
【０００４】
公衆電話交換ネットワークあるいは無線通信ネットワークのような公衆通信ネットワークを用いてセキュリティ通信を行うためのソリューションには多くの欠点がある。ここで用いられる多くの通信装置はポータブル型ではない。例えばこれらの通信装置はデスクトップ装置を含み、有線電話機とそのベースユニットとの間、あるいはベースユニットとウオールインターフェースとから公衆電話交換ネットワークに向けて物理的な接続を要する。セキュリティ通信として送信されるものが音声かデータかによって、いくつかの装置では前記物理的な接続の内容を変換することが要求される。例えばある種の装置はセキュリティデータ通信のためにコンピュータに接続される必要がある。個のような接続切換えの要求は、その使用目的に応じた種々の接続および切り離しを要するので、ユーザーの不満を招くものである。更に、これらの通信装置はその中にセキュリティアプリケーションを個々に持っている必要がある。このようにセキュリティアプリケーションを個々に持つことは、通信装置のセキュリティ情報が不正に漏洩する機会を増やす結果となる。更に、暗号化技術について開示した記事がコントロールド・クリプトグラフィック・アイテム（ＣＣＩ）にある。このＣＣＩ装置がセキュリティ電気通信または情報処理装置として定義されており、関連して設けられた暗号成分が用いられる。この暗号成分は特別に形成された制御装置により取り扱われるが、その処理や保持または制限のために余分のコストが掛かる。更に、これらのセキュリティ通信装置のなかには如何なる有線電話との互換性を持たないものもある。最後に、これらの多くは非常に高価である。
【０００５】
このように、通信装置および通信ネットワークの間で相互の通信が可能な改良されたシステム及び方法が要求されており、特に、種々の公衆通信ネットワークに基づく通信の変換のための応用性のあるシステム及び方法が望まれている。
【発明の開示】
【０００６】
この発明の一実施形態において、通信システムは第１のアプリケーションモジュールと第１のインターフェースモジュールとを有する。この第１のアプリケーションモジュールはネイティブ通信スタンダードを有するネイティブ通信ネットワーク内で動作する第１のポータブル通信装置に接続可能である。この第１のアプリケーションモジュールは、出力されるネイティブ通信を出力される非ネイティブ通信に変換し、あるいは入力される非ネイティブ通信を入力されるネイティブ通信に変換することができる。この入力されるネイティブ通信はネイティブ通信ネットワークと適合性があり、出力される非ネイティブ通信は非ネイティブ通信ネットワークに用いられる非ネイティブ通信スタンダードと適合性がある。第１のインターフェースモジュールは第１アプリケーションモジュールと交信し、非ネイティブ通信ネットワークで使用可能な第２の通信装置に接続可能である。第１のインターフェースモジュールはネイティブ及び非ネイティブ通信を伝送することができる。
【０００７】
この発明の他の実施形態によれば、通信アクセサリーがインターフェースシステムを含み、このインターフェースシステムは非ネイティブ装置と、アプリケーションモジュールを有するポータブル装置と、非ネイティブ通信ネットワークのうちの少なくとも２つとの通信を可能とする。この通信アクセサリーは更に少なくとも第１モードと第２モードとの間で切換えを行うスイッチ機構を含む。第１モードでは、スイッチ機構により非ネイティブ装置と非ネイティブ通信ネットワークとの間の通信がポータブル装置のアプリケーションモジュールにより変換されて行われる。第２モードでは、スイッチ機構により非ネイティブ装置と非ネイティブ通信ネットワークとの間の通信がポータブル装置のアプリケーションモジュールにより変換されることなく行われる。
【０００８】
この発明の更に他の実施形態によるセキュリティ通信アクセサリーは、非ネイティブ装置とアプリケーションモジュールを有するポータブル装置と非ネイティブ通信ネットワークの内の少なくとも２つとの間で通信を行うインターフェースシステムを含む。この通信アクセサリーは更に少なくとも第１モード、第２モードを有するスイッチ機構を有する。第１モードでは非ネイティブ装置と非ネイティブ通信ネットワークとの間でポータブル装置のセキュリティアプリケーションを介して通信を行い、第２モードでは非ネイティブ装置と非ネイティブ通信ネットワークとの間でポータブル装置のセキュリティアプリケーションを介することなく通信を行う。
【０００９】
この発明の更に他の実施形態によれば、通信アクセサリーが複数のインターフェースシステムとこのインターフェースシステム相互を接続する交換システムを含む。インターフェースシステムは、非ネイティブインターフェースシステムと、公衆電話交換ネットワークインターフェースシステムと、ポータブル装置インターフェースシステムとを含む。非ネイティブ装置インターフェースシステムは非ネイティブ装置と接続可能である。公衆電話交換ネットワークインターフェースシステムは公衆電話交換ネットワークと接続可能である。ポータブル装置インターフェースシステムはアプリケーションモジュールを有するポータブル装置と接続が可能である。更に、交換システムは、非ネイティブ装置インターフェースシステムと、公衆電話交換ネットワークインターフェースシステムと、ポータブル装置インターフェースシステムのうちの少なくとも２つの間で通信の伝送を行うことができる。交換システムは少なくとも第１の接続状態と第２の接続状態とを含む。第１の接続状態では、交換システムは非ネイティブ装置インターフェースシステムと公衆電話交換ネットワークインターフェースシステムとをポータブル装置インターフェースシステムを介して接続し、伝送された通信がアプリケーションモジュールにより変換される。第２の接続状態では交換システムは非ネイティブ装置と公衆電話交換ネットワークとを接続しポータブル装置インターフェースシステムをバイパスする。
【００１０】
更に他の実施形態では通信システムが通信アクセサリーとポータブル装置とを有する。この通信アクセサリーは通信を伝送する為のインターフェースシステムを有し、通信アクセサリーは少なくとも非ネイティブ装置と非ネイティブ通信ネットワークとに接続可能である。ポータブル装置はアプリケーションモジュールを有し、通信アクセサリーと接続可能である。インターフェースシステムは少なくとも第１動作モードと第２動作モードとを有する。第１モードではインターフェースシステムにより非ネイティブ装置と非ネイティブ通信ネットワークとの間の通信がポータブル装置のアプリケーションモジュールにより変換される。第２モードではインターフェースシステムにより非ネイティブ装置と非ネイティブ通信ネットワークとの間の通信がポータブル装置のアプリケーションモジュールにより変換されずに行われる。
【００１１】
更に他の実施形態によれば、非ネイティブ装置と非ネイティブ通信ネットワークとの間の通信変換方法が非ネイティブ装置または非ネイティブ通信ネットワークのうちの一方からの第１の通信を受信する工程を含み、更に、アプリケーションモジュールを有するポータブル装置へこの第１の通信を送出し、アプリケーションモジュールにより変換された第１の通信の変換分を有する第２の通信をポータブル装置から受信する工程を含む。この通信変換方法は、更に非ネイティブ装置または非ネイティブ通信ネットワークのうち前記一方とは異なる他方へ前記第２の通信を送出する工程を含む。このようにして、この発明方法により、非ネイティブ装置と非ネイティブ通信ネットワークとの間の通信がポータブル装置のアプリケーションモジュールにより選択的に変換されることになる。
【発明を実施するための最良の形態】
【００１２】
図１に示す一実施形態の通信システム１１は、ポータブル装置と非ネイティブ通信ネットワーク１６に接続される非ネイティブ通信装置１４との間の通信を変換するためのアプリケーションモジュール２０を有するネイティブポータブル通信装置１８を含む。アプリケーションモジュール２０はネイティブスタンダードの通信を非ネイティブスタンダードの通信に変換し、ネイティブポータブル通信装置１８と非ネイティブ通信装置１４との間の通信をネイティブ通信ネットワーク１３と非ネイティブ通信ネットワーク１６の間で相互に行うようにする。更に、アプリケーションモジュール２０は他の場合、例えば通信にセキュリティ機能を付加するような通信の変換を行うことができる。このように、アプリケーションモジュール２０は非ネイティブ通信システム又は装置を通過させる前に元のアナログ又はデジタルデータを変換するためにハードウエア又はソフトウエアに搭載された如何なるアプリケーションを持つことができる。即ち、アプリケーションモジュール２０を有するネイティブポータブル通信装置１８は種々の通信ネットワークに対する通信の変換を可能とするモバイルシステムを提供できる。
【００１３】
ネイティブポータブル通信装置１８はオペレーションモジュール３８を含み、ネイティブ通信スタンダードを有するネイティブ通信ネットワーク１３内でポータブル装置が使用できるようにする。アプリケーションモジュール２０は出力されるネイティブ通信１５が出力される非ネイティブ通信１７に変換されるように動作し、ネイティブポータブル装置１８が非ネイティブ装置１４と非ネイティブネットワーク１６に対して使用できるようにする。更に、アプリケーションモジュール２０は入力される非ネイティブ通信１９を入力されるネイティブ通信２３に変換して更に相互動作を可能とする。このようにして変換された通信は各ネットワークに対して適合し、入力されるネイティブ通信２３はネイティブ通信ネットワーク１３に適合し、出力される非ネイティブ通信１７は非ネイティブ通信ネットワーク１６で使用される非ネイティブ通信スタンダードに適合する。
【００１４】
更に、インターフェースモジュール２５はアプリケーションモジュール２０と接続され、更に非ネイティブ通信装置１４のインターフェースモジュール２７と接続されるとともに、ネイティブ通信ネットワーク１３とも接続される。例えば、インターフェースモジュール２５、２７はケーブルのような機械的接続部を含み、或いは赤外光（ＩＲ）または他の非接触接続機構を含む。インターフェースモジュール２５はネイティブまたは非ネイティブ通信１７、１９を送信または受信するとともに、アプリケーションモジュール２０との間で送信し、または受信する。
【００１５】
非ネイティブ通信装置１４は非ネイティブ通信スタンダードを有する非ネイティブ通信ネットワーク１６内での非ネイティブ装置の動作を行わせるオペレーションモジュール２９を含む。ネイティブポータブル通信装置１８との相互動作の結果、非ネイティブ装置１４はアプリケーションモジュール２０の機能に基づいて高い通信機能を達成し、非ネイティブネットワーク１６を介した変換された通信の送受信を行い、あるいはネイティブネットワーク１３との間で送受信を行うことができる。
【００１６】
図２の通信方法３１の実施により、図１のシステム１１は、ネイティブポータブル通信装置を有するエンドユーザーと非ネイティブ通信ネットワークとの間の通信を可能とする。この実施形態においては、エンドユーザーは出力されるネイティブ通信の形でネイティブポータブル通信装置に（ブロック３３に示した）入力を発生させる。このネイティブ通信はアプリケーションモジュールに供給され、出力される非ネイティブ通信に変換される（ブロック３５に示す）。
【００１７】
出力される非ネイティブ通信はネイティブ通信を表すが、非ネイティブ通信ネットワークに適合する伝送フォーマットを有する。例えば、ネイティブ通信は一つまたは複数のネイティブコマンドを含むが、さらに対応する非ネイティブコマンドも含む。アプリケーションモジュールは複数のネイティブおよび非ネイティブコマンドを含み、対応する非ネイティブコマンドを決定し、ネイティブ通信の形式を変更してネイティブコマンドを対応する非ネイティブコマンドと置き換える。このようなアプリケーションモジュールによる決定はネイティブ及び非ネイティブコマンドの間の知られている関係に基づいて為され、或いは試行錯誤的な方法により為される。例えば試行錯誤的な方法において、アプリケーションモジュールは複数の非ネイティブコマンドの中から一つを選択し、ネイティブ通信をこの選択された第１の非ネイティブコマンドを用いて第１の非ネイティブ通信に変換し、この非ネイティブ通信を伝送する。もし非ネイティブ通信装置がこの非ネイティブ通信を拒絶すると、アプリケーションモジュールは複数の非ネイティブコマンドの中から第２のコマンドを選択し、第２の非ネイティブ通信を形成する。このような非ネイティブ通信装置による通信の試行は非ネイティブ通信の適正な形が発見されるまで続けられる。
【００１８】
通信方法３１の実施が行われて、出力される非ネイティブ通信（ブロック３５）は非ネイティブ通信装置に伝送される（ブロック３７）。非ネイティブ通信装置は出力される非ネイティブ通信を受信し、非ネイティブ通信ネットワークとの適合性をチェックする（ブロック３９）。もしもこの通信が適合していない場合には、この通信を拒絶する信号がネイティブポータブル装置に送り返され、前記の変換動作が繰り返される（ブロック４１）。もしも非ネイティブ装置により非ネイティブ通信が適合することが検知されると、その通信を非ネイティブ通信ネットワークに伝送する（ブロック４３）。
【００１９】
図３に示した他の通信方法４５において、システム１１は非ネイティブ通信ネットワークで用いられる非ネイティブ装置とネイティブポータブル通信装置を有するエンドユーザーとの間の通信を可能とする。この実施形態では、非ネイティブ装置は非ネイティブ通信を非ネイティブネットワークから受信する（ブロック４７）。非ネイティブ装置は非ネイティブ通信をネイティブポータブル装置に送信する（ブロック４９）。ネイティブポータブル装置は非ネイティブ通信を受信し、アプリケーションモジュールにより入力された非ネイティブ通信が変換され、入力されたネイティブ通信を、ネイティブポータブル装置およびネイティブ通信ネットワークに適合するように変形させる。この変換されたネイティブ通信はネイティブポータブル装置からエンドユーザーに伝送される（ブロック５１）。このアプリケーションモジュールによる通信の変換は通信方法３１（図２）と同様にして行われるが、その変換の方向が反対方向、即ち非ネイティブからネイティブへの通信の変換である。この変換された入力のネイティブ通信はネイティブ装置のオペレーションモジュールまたはインターフェースモジュールに伝送され、通信の適合性がチェックされる（ブロック５３）。もし通信が適合していない場合、通信を拒絶する信号がアプリケーションモジュールに伝送され（ブロック５５）、変換プロセスが繰り返される（ブロック５１）。もしも通信が適合した場合、エンドユーザーに出力される（ブロック５７）。
【００２０】
このように、通信方法３１，４５のいずれの場合も、アプリケーションモジュールはバーチャルモデムとして動作し、ネイティブポータブル通信装置と非ネイティブ通信装置との間の相互通信を可能とする。更に、この相互通信は非ネイティブ装置がアプリケーションモジュールの機能を用いることを可能とし、非ネイティブ通信ネットワークとの通信を可能とする。
【００２１】
図３の他の実施形態において、通信システム２１は、インターフェース装置または通信アクセサリー１２を有し、これらにより非ネイティブ通信装置１４、非ネイティブ通信ネットワーク１６、およびアプリケーションモジュール２０を有するネイティブポータブル装置１８のうちの少なくとも二つの間で通信が伝送される。通信アクセサリー１２は少なくとも第１モードと第２モードとを有するスイッチシステム２２を含む。第１のモードにおいて、スイッチシステム２２は非ネイティブ装置１４と非ネイティブ通信ネットワーク１６とをポータブル装置１８を介して接続する。この第１のモードの接続により、非ネイティブ装置１４と非ネイティブ通信ネットワーク１６との間の通信アクセサリー１２を通る通信がアプリケーションモジュール２０により変換される。第２のモードでは、スイッチシステム２２はポータブル装置１８をバイパスして、非ネイティブ装置１４と非ネイティブ通信ネットワーク１６とを接続する。この第２のモードの接続により、通信アクセサリー１２を介して非ネイティブ装置１４と非ネイティブ通信ネットワーク１６との間で実質的に直接の通信を行わせ、あるいは少なくともこの第２のモードでは、アプリケーションモジュール２０による変換を行わないで通信が行われる。即ち、スイッチシステム２２を介して行われる通信システム１０と通信アクセサリー１２の間の通信は、通信アクセサリーを介して行う通信に対してポータブル装置１８のアプリケーションモジュール２０による変換を選択的に与える。
【００２２】
例えば、一つの実施形態において、通信アクセサリー１２は公衆電話交換ネットワーク（ＰＳＴＮ）のような非ネイティブ通信ネットワーク１６を介して電話の音声またはデータの呼びを暗号化または復号化するためのセキュリティ有線電話装置として用いることができる。この場合、アプリケーションモジュール２０は暗号化／復号化アルゴリズムを有するセキュリティアプリケーションを含む。第１のモードにおけるスイッチシステム２２を有し、かつインターフェースを介してポータブル装置１８に接続された通信アクセサリー１２の動作により、非ネイティブ通信ネットワーク１６からの暗号化された入力セキュリティ通信がアプリケーションモジュール２０により変換され、非ネイティブ装置１４に伝送されるために復号化された明文通信が形成される。あるいは、非ネイティブ装置１４からの出力明文通信は暗号化されてセキュリティ通信とされ、非ネイティブ通信ネットワーク１６に伝送される。スイッチシステム２２が第２のモードのときに通信アクセサリー１２は、非ネイティブ装置１４と非ネイティブ通信ネットワーク１６との間の明文の通信を可能とする。即ち、この実施形態では、通信アクセサリー１２はポータブル装置１８のインターフェースとなり、アプリケーションモジュール２０内のセキュリティアプリケーションを用いてスタンダード有線電話装置をセキュリティ音声／データ有線電話装置に変換し、公衆通信ネットワークとの通信を可能とする。
【００２３】
通信アクセサリー１２はバンプ・イン・ザ・コード通信モジュールと、ドッキングステーションと、デュアルデバイスチャージャと、非ネイティブ装置と非ネイティブ通信ネットワークとポータブル装置との間でインターフェースとして用いられる他の同様な装置の一つあるいはそれらの組み合わせを含んでもよい。通信アクセサリー１２は少なくとも非ネイティブ装置インターフェース２４と、非ネイティブ通信インターフェース２６と、ポータブル装置インターフェース２８とを含み、これらはスイッチシステム２２を介して選択的に接続される。非ネイティブ装置インターフェース２４と、非ネイティブ通信ネットワークインターフェース２６と、ポータブル措置インターフェース２８の夫々は非ネイティブ装置１４と、非ネイティブ通信ネットワーク１６と、ポータブル装置１８の夫々を通信アクセサリー１２に接続するためのいかなる種類のコネクタを含んでも良い。例えば、適切なインターフェース２４、２６、２８には、ＲＪ−１１ポート、ＵＳＢポート、ＲＳ−２３２ポートなどの機械的なコネクタや、ラジオ周波数（ＲＦ）すなわちラジオ波トランスポンダや、赤外光（ＩＲ）又は他の光トランスポンダや電気／磁気送受信機あるいはモデムのような無線送受信装置を含むことができる。インターフェース２４、２６、２８は上記の装置やシステムを補完する複数の装置やシステムや部品を接続するための複数のインターフェースを含むことができる。例えば、非ネイティブ装置インターフェース２４は有線のハンドセット電話機を接続するための第１のインターフェースおよび、ベースユニットを接続するための第２のインターフェースを含むことができる。更に、非ネイティブ装置インターフェース２４とポータブル装置インターフェース２８は非ネイティブ装置１４やポータブル装置１８を夫々保持又は支持するためのクレードルまたは他の機構を含むことができる。
【００２４】
以上説明したように、通信アクセサリー１２はインターフェース２４、２６、２８を通信を伝送するように相互に接続するためのスイッチシステム２２を含む。スイッチシステム２２は通信をこれらのインターフェース２４、２６、２８間で選択的に伝送させるための種々の形式のハードウエアまたはソフトウエアを含むことができる。例えば、スイッチシステム２２は通信アクセサリー１２内で信号を相互に伝送させるための種々の回路を接続するための一つまたは多くのマルチプレクサを含むことができる。これらのマルチプレクサはポータブル装置１８からのコマンド信号により制御してこれらの回路構成を選択的に変更することができる。一つの実施形態では、例えば、デフォールト構成が非ネイティブ装置インターフェース２４と非ネイティブ通信ネットワークインターフェース２６との間の音声通信の無インピーダンス伝送を可能とする。マルチプレクサは２、３、４またはそれ以上の状態を有するものが望ましく、全ての動作状態に対応する信号伝送を可能とする構成を有する。さらに、スイッチシステム２２の「セキュリティ」または「赤」接続部は明文または「黒」接続部とは独立され分離されると良い。これにより、アプリケーションモジュール２０により変換された通信の独立性が保証される。
【００２５】
更に、通信アクセサリー１２はその種々の部分の内部動作を制御するため、あるいは非ネイティブ装置１４、非ネイティブ通信ネットワーク１６またはポータブル装置１８の相互動作を行わせるのに用いるためのハードウエア、ソフトウエア、ファームウエアの一つまたは組み合わせを有するインターフェースオペレーションモジュール３０を含む。しかしながら、インターフェースオペレーションモジュール３０は通信アクセサリー１２に対してオプションで付加された構成であってよい。実施形態で用いられるインターフェースオペレーションモジュール３０は、マイクロコントローラ、セントラルプロセシングユニット（ＣＰＵ）、ランダムアクセスメモリ（ＲＡＭ）、リードオンリメモリ（ＲＯＭ）、入力出力ポート（Ｉ／Ｏ）、動作システムソフトウエア、アプリケーションソフトウエア、インターフェースソフトウエア、及び種々の回路のひとつまたは種々の組み合わせを含む。更に、例えば、インターフェースオペレーションモジュール３０は通信アクセサリー１２の種々の状態を示す状態信号を出力することができる。例えば状態信号として、非ネイティブ装置１４またはポータブル装置１８に対して通信アクセサリーの存在を表すために送信される識別信号や、他の装置の状態を非ネイティブ装置１４またはポータブル装置１８に知らせるライン状態信号や、たとえば非ネイティブ装置１４がフックから外されて既に呼びに接続されていることをポータブル装置１８に知らせる信号や、ポータブル装置１８または非ネイティブ通信ネットワーク１６通信装置１２に接続されたことを非ネイティブ装置１４に示す信、あるいはスイッチシステム２２の全てまたは部分のモードまたは状態を示す一つまたは複数のモニタ信号を含むことができる。これらのモニタ信号は通信アクセサリー１２に付属して設けられた機能的機構３２の一つまたは複数の部分に送られる。この詳細に付いては以下に説明する。
【００２６】
インターフェースオペレーションモジュール３０は通信アクセサリー１２と、関連して設けられた非ネイティブ装置１４と、ポータブル装置１８の夫々に対して機能的、動作的な補助機能を提供する。この動作的なモードは、明文な音声の伝達路、セキュリティ化音声、セキュリティ化データ、明文からセキュリティ化への変換、バッテリー充電動作、非ネイティブ装置１４の動作と干渉しないポータブル装置１８へのオーバーザエアー（ＯＴＡ）呼びの受信、接続されたポータブル装置１８から非ネイティブ装置１４へのトランスパレント呼びの伝達などを含む。更に、インターフェースオペレーションモジュール３０は通信アクセサリー１２と共に用いられる通信プロトコルまたはアプリケーションの種々のタイプに対しての補助動作を行う。これらは例えば、アナログまたはデジタルのデータまたは音声、パルスコードモジュレーション（ＰＣＭ）のような変換プロトコル、インターネットプロトコル（ＶｏＩＰ）通信によるセキュリティ化及び明文化音声、グループサービス／グループ通信アプリケーション例えばＳＩＰ、ＳＤＰ、ＴＣＰ／ＩＰおよびＵＤＰプロトコル、インテグレーテッドサービスデジタルネットワーク（ＩＳＤＮ）プロトコル、及び他の同様なプロトコルである。
【００２７】
上述したように、通信アクセサリー１２はその動作の制御または補助を行うための非取るまたはそれ以上の機能的機構３２を含む。適切な機能的機構３２の例として、バーチャルまたは機械的なキーパッドまたはユーザーユニットのような触覚的な入出力装置、バーチャルまたは機械的なファンクションキー、スピーカまたはディスプレイまたは発光装置のようなオーディオまたはビジュアル出力装置、ユーザーインターフェース、触覚による入出力装置、及び他の同様な音関連の装置と共に用いられる機構が含まれる。例えば、バーチャルまたは機械的なキーパッドまたはユーザー入力が電話番号のダイヤルに用いられまたは非ネイティブ装置１４またはポータブル装置１８上の入力の選択に用いられる。バーチャルまたは機械的なファンクションキーは通信アクセサリー１２または他のインターフェースを介して接続される装置やネットワークの特定の動作や特徴を制御するために用いることができる。オーディオ又はビジュアル出力装置を通信アクセサリーの構成部あるいはインターフェースを介した装置／ネットワークにリンクさせることができる。これによりこれらの構成部あるいは装置／ネットワークのステータスや状態又はモードに関する情報信号を得ることができる。例えば、スピーカを用いて非ネイティブ装置１４又はポータブル装置１８をスピーカ音により使用することができる。更に、発光装置を用いることにより、通信アクセサリー１２の電源が投入されたことを示し、あるいはスイッチシステム２２の一つ又は複数のモード状態を告知することができる。アナログ又はデジタルの応答装置を非ネイティブ装置１４またはポータブル装置１８に接続して自動応答機能を持たせることができる。ユーザーインターフェースを用いて通信アクセサリー１２を動作させ、インターフェース装置／ネットワークの一つを動作させ、あるいは、例えば入力される呼びの識別情報を表示することができる。
【００２８】
通信アクセサリー１２はリモートパワーソース３６に接続されるパワーモジュール３４に接続することができる。これにより通信アクセサリー１２や非ネイティブ装置１４又はポータブル装置１８に動作電力或いはバックアップ電力を供給することができる。リモートパワーソース３６は交流電源或いはバッテリーのような直流電源、発電機または電力グリッドなどを含む。例えば、パワーモジュール３４は動作電力をスイッチシステム２２、非ネイティブ装置１４、インターフェースオペレーションモジュール３０及び機能的機構部３２に供給する。更に、例えばパワーモジュール３４はポータブル装置１８のバッテリーを充電し、或いは機能的機構部３２の発光装置を発光させることができる。更に、パワーモジュール３４は、変換機やバックアップ／緊急用の電源、コードなどの通信アクセサリー１２の接続や電力供給のための他の種々の装置を含む。変換機はリモートパワーソース３６から受けた電力を接続された各装置に適合する形の電力に変換するために使用される。バックアップ又は緊急用の電源、例えばバッテリーパックが通信アクセサリー１２やインターフェース装置に対して、例えばリモートパワーソース３６からの電力供給が停止した時などに使用することができる。
【００２９】
非ネイティブ装置１４はＰＳＴＮなどの非ネイティブ通信ネットワークとの通信に用いられる種々の装置を含む。非ネイティブ装置１４の望ましい例としては、スタンダードの有線電話ハンドセット、ポータブル有線電話ハンドセット、モデム、およびコンピュータなどがある。非ネイティブ装置１４は、スピーカ、レシーバ、キーパッド、ディスプレイ、及び入力／出力、アンサリングマシーン、或いは装置の種々の動作を制御するファンクションキーなどを含む。
【００３０】
非ネイティブ通信ネットワーク１６は、ネイティブ通信ネットワーク１３の通信スタンダードと適合性のない通信スタンダードを有する種々の公衆又はプライベートの通信ネットワークを含む。非ネイティブ通信ネットワーク１６はアナログ又はデジタルの通信を伝送し、音声、データ、ビデオ及び他の同様な種類の情報を含む。非ネイティブ通信ネットワーク１６の望ましい例としては、公衆電話交換ネットワーク（ＰＳＴＮ）、インテグレーテッドサービスデジタルネットワーク（ＩＳＤＮ）、ファイバ分布データインターフェース（ＦＤＤＩ）ネットワーク、ＦＤＤＩフルデュプレックステクノロジ（ＦＦＤＴ）ネットワーク、および他の同様な種類のネットワークを含む。
【００３１】
ポータブル装置１８はアプリケーションモジュール２０をサポートし、通信アクセサリー１２と動作できる種々の装置を含む。例えば、ポータブル装置１８としては、パーソナルコンピュータ、携帯電話や衛星電話などの無線装置、パーソナルデジタルアシスタント、ページャ、２方向コミュニケータ、及び他の携帯型またはポケットサイズの電子機器を含む。ポータブル装置１８は少なくともオペレーションモジュール３８を含み、通信アクセサリー１２とアプリケーションモジュール２０と通信を行うためにハードウエア、ソフトウエア、ファームウエア等により構成される。オペレーションモジュール３８はポータブル装置１８による通信アクセサリー１２との間、およびこれとインターフェースを介して接続された装置／ネットワークとの間の情報と動作コマンドの送受信を行う。更に、ポータブル装置１８は装置の動作のための電力を供給するためのパワーモジュール４０を含む。このパワーモジュール４０は、例えば、変換機と、コードと、直流又は交流電源と、ソーラー電源と、誘導電源等、装置の接続や電源供給のための他のシステムを含む。パワーモジュール４０は通信アクセサリー１２のパワーモジュール３４と接続可能であり、底からの電力の供給を受けることができる。例えば、ポータブル装置１８がパワーモジュール４０としてバッテリーパックを有する無線電話である場合には、ポータブル装置に接続された通信アクセサリー１２はバッテリー充電器として使用することができる。更に、ポータブル装置ｌ８はその動作を制御するために、スピーカ、レシーバ、キーパッド、ディスプレイ、入力／出力、アン差リングマシン、またはファンクションキーなどの一つ又は複数の装置を含む。
【００３２】
図５は通信アクセサリーの他の実施形態であるドッキングステーション５０を示し、通信アクセサリー１２と非ネイティブ装置１４とを一つのユニットとして一体化した場合を示す。ドッキングステーション５０はハウジング５２を有し、その内部に通信アクセサリー１２の構成部品を収納する容器として使用される。ドッキングステーション５０は第１のクレードル５４を有してそこに非ネイティブ装置１４、例えばＰＳＩＮ電話のハンドセットを保持し、第２のクレードル５６にはポータブル装置１８、例えばカルコムＱＳｅｃ−８００（登録商標）無線電話を保持する。更に、ドッキングステーション５０は複数の機能的機構部３２、例えばキーパッド５８、スピーカ６０、パワーオンインジケータライト６２、及び第１モードまたはセキュリティコール（呼び）のインジケータライト６４などを有する。ドッキングステーション５０は、スイッチシステム２２（図示せず）を介して、ポータブル装置１８のアプリケーションモジュール２０（図示せず）を動作させて、非ネイティブ装置１４と例えば公衆電話交換ネットワークとの間の通信を変換する。
【００３３】
図６は通信アクセサリーの更に他の実施形態である、「バンプインザコード」通信モジュールとして動作するデュアルデスクトップチャージャ７０を示す。この実施形態では、デュアルデスクトップチャージ７０はハウジング７２を有し、その内部にスイッチシステム２２（図示せず）を収納し、第１のクレードル５４としてスペアバッテリー充電ポートを有し、第２クレードル５６としてポータブル装置１８例えばカルコムＱＳｅｃ−８００（登録商標）無線電話を保持する部分を有する。デュアルデスクトップチャージャ７０は更に第１の有線装置７６、例えば電話ハンドセットに接続される第１の有線インターフェース７４を有し、電話ベース８０のような第２の有線装置７８に接続される第２の有線インターフェース７８とを含む。デュアルデスクトップチャージャ７０は更に第１モードまたはセキュリティコール（呼び）のインジケータライト６４を含む。これはスイッチシステム２２（図示せず）が第１またはセキュリティモードで動作中に点灯する。
【００３４】
図７に示すように、各実施形態の通信アクセサリー１２、５０、７０は非ネイティブ装置と非ネイティブ通信ネットワーク９０との間で通信を変換する方法の実施の際に用いられる。この方法は、非ネイティブ装置または非ネイティブ通信ネットワークのいずれか一方からの通信を受信するステップを含む（ボックス９２）。変換方法は第１の通信をアプリケーションモジュールを有するポータブル装置又は無線電話へ伝送するステップを有する（ボックス９４）。例えば、この通信の伝送は通信アクセサリー１２、５０、７０を第１のモードに切換えるステップを含む。次に通信はたとえば無線電話のセキュリティアプリケーションを含むポータブル装置のアプリケーションモジュールによって処理される。この変換方法は更に第２の通信をポータブル装置または無線電話から受信するステップを含む。この第２の通信はアプリケーションモジュールによって変換された第１の通信の変換成分を含む（ボックス９６）。上述したように、この変換成分はセキュリティアプリケーションによる通信の暗号化、復号化成分を含む。更に、この変換方法は非ネイティブ装置または非ネイティブ通信ネットワークの他方へ第２の通信を伝送するステップを含む。この他方と前記一方とは同一ではない（ボックス９８）。このように、通信は非ネイティブ装置および非ネイティブ通信ネットワークの一方から同一ではない他方に送出され、通信を送出していない他方により受信される。通信が送出され、且つまだそれが受信される以前に、通信は通信アクセサリーによって変換、すなわち通信形態が変換される。この変換は暗号化された通信を元の明文に変換すること及びその逆を含む。即ち、上述の方法の実施形態によれば、非ネイティブ装置と非ネイティブ通信ネットワークとの間の通信がポータブル装置によって選択的に変換されることになる。
【００３５】
上述のこの発明の各実施形態の説明はこの発明を当業者が製造し使用できるようにおこなった。これらの実施形態の種々の変形は当業者にとって容易であり、ここに明示された発明の原理は何らの発明的な考察を必要とすることなく他の種々の実施形態に適用できることは自明である。従って、この発明はここに記載された実施形態に限ることなく、ここに示された発明の原理及び新規な特徴ならびに特許請求の範囲に記載された範囲で最も広い技術的範囲に及ぶものである。
【図面の簡単な説明】
【００３６】
【図１】ネイティブ通信ネットワーク内で用いられ非ネイティブ通信ネットワークとの通信が可能なアプリケーションモジュールを有するネイティブポータブル装置を含むこの発明の一実施形態の通信システムの概略図。
【図２】ネイティブポータブル通信装置を有するエンドユーザーと非ネイティブ通信ネットワークとの間の通信を行う方法の一例を示す流れ図。
【図３】非ネイティブ通信ネットワークに使用される非ネイティブ装置とネイティブポータブル通信ネットワークを有するエンドユーザーとの間の通信を行う方法の一例を示す流れ図。
【図４】通信アクセサリー、無線通信装置、非ネイティブ装置、及び非ネイティブ通信ネットワークを含む通信システムの実施形態の構成を示す概略図。
【図５】ドッキングステーションとして形成された通信アクセサリーの実施形態を示す構成図。
【図６】デュアルデスクトップチャージャとして形成された通信アクセサリーの他の実施形態を示す構成図。
【図７】非ネイティブ装置と非ネイティブ通信ネットワーク例えば公衆電話交換ネットワークとの間の通信を変換する方法の一例を示す流れ図。
【図１】
0004508877.tif 000002
【図２】
0004508877.tif 000003
【図３】
0004508877.tif 000004
【図４】
0004508877.tif 000005
【図５】
0004508877.tif 000006
【図６】
0004508877.tif 000007
【図７】
0004508877.tif 000008